(57)【特許請求の範囲】
【請求項１】
内側が複数個の室に区切られている容器本体と、キャップ本体と、キャップ本体に回転可能に装着される複数の回転蓋と、外蓋とからなる振り出し容器であって、
キャップ本体は、頂壁と、頂壁に容器本体内の室に係合するそれぞれの位置に設けられた回転段部を具え、
回転段部の上面には、内開口と、係合筒が設けられ、
回転蓋は、内筒と、内筒下端内周に設けられ、下面がキャップ本体の回転段部上面と係合する蓋壁と、内周が回転段部の係合筒外周と係合する外筒とを具え、
蓋壁には、外開口が開口されていることを特徴とする振り出し容器。
【請求項２】
キャップ本体の回転段部、および、回転蓋の所定の位置に、互いに係合し、回転位置を維持させる係止部が設けられていることを特徴とする請求項１記載の振り出し容器。
【請求項３】
回転蓋の蓋壁の外開口と、キャップ本体の回転段部の内開口との係合により、開口が、全閉、または半開、全開になることを特徴とする請求項１または２記載の振り出し容器。
【請求項４】
キャップ本体の振り出し方向側に、回転段部および回転蓋の配設場所が集中していることを特徴とする請求項１〜３のいずれかに記載の振り出し容器。
【請求項５】
容器本体が、本体胴部と、本体胴部に脱着可能に装着される本体底部とからなっていることを特徴とする請求項１〜４のいずれかに記載の振り出し容器。
【発明の詳細な説明】
【技術分野】
【０００１】
本発明は、振り出し容器、とくに容器内に複数種収納した内容物を、同時、またはそれぞれ選択して使用するようにした振り出し容器に関するものである。
【背景技術】
【０００２】
容器内を数室に区切り、ふりかけや胡椒等の粉状の内容物を複数種収納し、内容物を選択して出すことのできる振り出し容器は、従来より知られている（例えば、特許文献１参照）。
【特許文献１】実用新案登録第３０５００６１号公報
【発明の開示】
【発明が解決しようとする課題】
【０００３】
しかしながら、従来の振り出し容器は、回転蓋を容器に対して回転させることにより、回転蓋の開口を容器内の選択した室の開口と係合させ、その室内の内容物のみ、または、隣り合った室内の内容物のみを外に出すようにしているため、容器内の複数種の内容物を同時に出すことはできなかった。
また、回転蓋の開口と容器内の室の開口との係合幅で、一度に出る量を調整することはできるが、容器を振っているうちに回転蓋が回転して出る量が変わってしまうという問題があった。
【０００４】
本発明は、上記の事情を考え、内側を複数個の室に区切った容器本体に装着するキャップに、区切った室数の回転蓋を装着し、回転蓋をキャップ本体に対して回転させ、それぞれの開口を開閉し、必要な種類および分量だけの内容物を出して使用することのできる振り出し容器を提供することを目的とする。
【課題を解決するための手段】
【０００５】
本発明は、上記の課題を解決するため、振り出し容器として、内側が複数個の室に区切られている容器本体と、キャップ本体と、キャップ本体に回転可能に装着される複数の回転蓋と、外蓋とからなる振り出し容器であって、キャップ本体は、頂壁と、頂壁に容器本体内の室に係合するそれぞれの位置に設けられた回転段部を具え、回転段部の上面には、内開口と、係合筒が設けられ、回転蓋は、内筒と、内筒下端内周に設けられ、下面がキャップ本体の回転段部上面と係合する蓋壁と、内周が回転段部の係合筒外周と係合する外筒とを具え、蓋壁には、外開口が開口されていることを特徴とする構成を採用する。
【０００６】
回転段部と回転蓋に係る実施例として、キャップ本体の回転段部、および、回転蓋の所定の位置に、互いに係合し、回転位置を維持させる係止部が設けられていることを特徴とする構成、または、回転蓋の蓋壁の外開口と、キャップ本体の回転段部の内開口との係合により、開口が、全閉、または半開、全開になることを特徴とする構成、或いは、キャップ本体の振り出し方向側に、回転段部および回転蓋の配設場所が集中していることを特徴とする構成を採用する。
【０００７】
容器本体の実施例として、容器本体が、本体胴部と、本体胴部に脱着可能に装着される本体底部とからなっていることを特徴とする構成を採用する。
【発明の効果】
【０００８】
内側が複数個の室に区切られている容器本体と、キャップ本体と、キャップ本体に回転可能に装着される複数の回転蓋、キャップ本体にヒンジを介して連設される外蓋とからなる振り出し容器であって、それぞれの回転蓋をキャップ本体に対して廻動させ、容器本体内のそれぞれの室の開口を、全閉、半開、全開と選択でき、一回の容器の傾けで、必要な内容物を複数同時に出すこと、または、単数のみ出すことができるようになった。
【発明を実施するための最良の形態】
【０００９】
次に、本発明の容器について、図面を参照して説明する。
図１において、Ａは容器本体、Ｂは容器本体Ａの口筒部に装着されるキャップ本体、Ｃはキャップ本体Ｂに回転可能に装着される三個の回転蓋、Ｄはキャップ本体ＢにヒンジＥを介して連設される外蓋である。
【００１０】
容器本体Ａは、図１、２に示すように、本体胴部Ａ１と本体底部Ａ２とからなっており、内側は室ａ、室ｂ、室ｃの三室に区切られ、それぞれの室に味の違うふりかけや香辛料などの内容物が収納されている。
本体胴部Ａ１は、口筒部１と胴部２、容器本体Ａ内を三室に区切る仕切板３とを具えている。
口筒部１外周には、キャップ本体Ｂを取着するねじが螺設されている。
胴部２の外周下部には、縮径された係合段部４が設けられている。
【００１１】
本体底部Ａ２は、底壁５と、底壁５外縁に立設され、内周が本体胴部Ａ１の係合段部４に係合する係合壁６とを具えている。
底壁５上面には、本体胴部Ａ１内の三室ａ、ｂ、ｃのそれぞれの仕切壁３下端側面、および胴壁２下端内面と係合し、閉鎖する三つの底蓋部７が立設されている。
【００１２】
キャップ本体Ｂは、図１、３に示すように、頂壁１０と、頂壁１０に容器本体Ａ内の三室に係合する位置に設けられるとともに、回転蓋Ｃを回転自在に装着する回転段部１１と、容器本体Ａの口筒部１外周に螺合する螺着筒１２とを具えており、頂壁１０の側周上端の所定の位置には、ヒンジＥが連設されている。
【００１３】
それぞれの回転段部１１の上面には、ヒンジＥの反対側に向かって開口した半円形の内開口１３と、内開口１３の外側に立設され、回転蓋Ｃを装着する係合筒１４と、係合筒１４の外側の所定の位置に突設された係止突部１５とが設けられている。  
係合筒１４の外周上部には、係合突部１６が設けられている。
【００１４】
回転蓋Ｃは、図１、４に示すように、リング状の上壁２０と、上壁２０内縁に連設された内筒２１と、内筒２１下端内周に設けられ、下面がキャップ本体Ｂの回転段部１１上面と係合する蓋壁２２と、上壁２０外縁に垂設され、内周が回転段部１１の係合筒１４外周と係合する外筒２３とを具えている。
【００１５】
蓋壁２２には、半円形の外開口２４が開口され、残った蓋壁２２とともに、キャップ本体Ｂの回転段部１１上面、および内開口１３と係合し、内開口１３を開閉するようになっている。
【００１６】
外筒２３は、外周に滑り止めのローレットが設けられ、内周下部には、上面がキャップ本体Ｂの回転段部１１の係合筒１４の係合突部１６下面と係合し、回転蓋Ｃの抜け落ちを防止する係合突部２５が設けられている。
外筒２３の下端面の所定の位置には、キャップ本体Ｂの回転段部１１に配設された係止突部１５と係合し、回転蓋Ｃの回転を規制する係止凹部２６が配設されている。  
【００１７】
外蓋Ｄは、図１、３に示すように、頂壁３０と、外筒３１とを具え、外筒３１の外周下端には、ヒンジＥが連設され、外筒３１の外周のヒンジＥの反対側には、つまみ３２が設けられている。
頂壁３０の下面の所定の位置には、閉蓋時に、内周がそれぞれの回転蓋Ｃの内筒２１外周上部と係合し、容器本体Ａ内を密閉する密閉筒３３が垂設されている。  
【００１８】
次に、本実施形態の容器の使用態様と作用効果について説明する。
内容物の使用に関しては、まず、外蓋Ｄを開蓋する。
次に、それぞれの回転蓋Ｃの外筒２３外周に指などを当て、回転蓋Ｃをキャップ本体Ｂのそれぞれの回転段部１１に対して廻動させる。
【００１９】
回転蓋Ｃをキャップ本体Ｂの回転段部１１に対して所定の角度廻動させると、回転蓋Ｃの蓋壁２２および外開口２４と、キャップ本体Ｂの回転段部１１上面および内開口１３と係合して開口の状態を選択することができる。
図５（ａ）に示すように、蓋壁２２下面が内開口１３を完全に塞ぐと、開口が全閉状態となる。
また、全閉状態から回転蓋Ｃを９０°回転させた位置では、図５（ｂ）に示すように、開口が半開状態となる。
さらに、半開状態から回転蓋Ｃを９０°回転させた位置では、図５（ｃ）に示すように、開口が全開状態となる。
【００２０】
また、回転蓋Ｃを回転段部１１に対して廻動させると、キャップ本体Ｂの回転段部１１に配設された係止突部１５が、回転蓋Ｃの外筒２３の下端面の係止凹部２６を乗り越え、係合突部１５が外筒２３の下端面を僅かに押上げながら摺動し、次の係止凹部２６と係合するので、回転蓋Ｃが所定の回転位置でクリック感を与えることができるとともに、その回転位置を維持させることができる。
【００２１】
それぞれの回転蓋Ｃを廻動させ、それぞれの開口の状態を選択した後、容器をヒンジＥの反対側に傾け、容器本体Ａ内のそれぞれの室から開口および回転蓋Ｃの内筒２１を介してそれぞれの内容物を振り出して使用することができる。
【００２２】
それぞれの開口の状態を全開、半開、全閉のいずれかに選択することで、一回の容器の振り出しで出る三種類の内容物の分量を調整して使用することができる。
また、いずれかの開口を全開とし、他の二つの開口を全閉とすることで、一種類ずつの内容物を選択して使用することができる。
【００２３】
内容物を使用しないときには、外蓋Ｄを閉蓋すると、外蓋Ｄの密閉筒３３と回転蓋Ｃの内筒２１とが係合し、容器内が密閉される。
【００２４】
本実施形態の容器は、容器本体Ａの本体胴部Ａ１と本体底部Ａ２が脱着できるので、容器本体Ａ内の内容物が無くなったら、容器本体Ａの本体胴部Ａ１から本体底部Ａ２を外し、本体胴部Ａ１のそれぞれの室に新しい内容物を充填した後、本体胴部Ａ１に本体底部Ａ２を装着して、再び、内容物を開口から振り出して使用することもできる。
【００２５】
上記実施例では、図１に示すように、キャップ本体Ｂの回転段部１１および回転蓋Ｃの配設場所を、容器本体Ａのそれぞれの室の中央に位置するようにしているが、別実施例として、図６に示すように、キャップ本体Ｂの回転段部１１および回転蓋Ｃの配設場所を容器本体Ａのそれぞれの室のヒンジＥの反対側に集中させるようにすると、容器を傾けて開口より内容物を出す際に、それぞれの内容物の出るタイミングをほぼ同時にすることができる。
内容物の出るタイミングをほぼ同時にすることができるので、内容物が液体であっても、ほぼ同時に三種類の内容物を注出することができる。
【００２６】
また、キャップ本体Ｂのそれぞれの回転段部１１上面の内開口１３を、ヒンジＥの反対側に向けて半円形に開口したが、それぞれの内開口１３を容器の外周側に向くように開口させ、それぞれの開口方向に合わせて容器を傾けることで、それぞれの内容物の出るタイミングを変え、その方向の室の内容物を余計に出すことができる。
さらに、開口方向を変えて、一種類ずつ出せる振り出し容器として使用することができる。
それぞれの回転段部１１上面の内開口１３の開口方向は、上記実施例の方向に限定されない。
【００２７】
上記実施例では、キャップ本体Ｂの回転段部１１の内開口１３および回転蓋Ｃの蓋壁２２の外開口２４を半円形で開口したが、内開口および外開口の別実施例として、図７に示すように、キャップ本体Ｂの回転段部１１の内開口１３ａおよび回転蓋Ｃの蓋壁２２の外開口２４ａを四分の一円形を円周の対角にそれぞれ二つ形成するようにしてもよい。
図７（ａ）に示すように、蓋壁２２下面が内開口１３ａを塞ぐので、開口が全閉状態となる。
また、全閉状態から回転蓋Ｃを４５°回転させた位置では、図７（ｂ）に示すように、外開口２４ａが、内開口１３ａおよび回転段部１１上面と係合し、開口が半開状態となる。
さらに、半開状態から回転蓋Ｃを４５°回転させた位置では、図７（ｃ）に示すように、外開口２４ａが、内開口１３ａと係合し、開口が全開状態となる。
【００２８】
さらに、内開口および外開口の別実施例として、図８に示すように、キャップ本体Ｂの回転段部１１の内開口１３ｂおよび回転蓋Ｃの蓋壁２２の外開口２４ｂを小穴を９０°間隔でそれぞれ四つ形成するようにしてもよい。
図８（ａ）に示すように、蓋壁２２下面が内開口１３ｂを塞ぐので、開口が全閉状態となる。
また、全閉状態から回転蓋Ｃを２２．５°回転させた位置では、図８（ｂ）に示すように、外開口２４ｂが、内開口１３ｂおよび回転段部１１上面と係合し、開口が半開状態となる。
さらに、半開状態から回転蓋Ｃを２２．５°回転させた位置では、図８（ｃ）に示すように、外開口２４ｂが、内開口１３ｂと係合し、開口が全開状態となる。
【００２９】
つまり、本発明では、回転蓋Ｃをキャップ本体Ｂの回転段部１１に対して所定の角度廻動させることで、回転蓋Ｃの蓋壁および外開口と、キャップ本体Ｂの回転段部上面および内開口と係合して開口の状態を選択することができればよいので、キャップ本体Ｂの内開口および回転蓋Ｃの外開口の形状は上記実施形態に限定されない。
【００３０】
上記実施形態では、キャップ本体Ｂの回転段部１１に係止突部１５と、回転蓋Ｃの外筒２３の下端面に係止凹部２６を配設しているが、互いに係合させ、回転蓋Ｃが所定の回転位置でクリック感を与えられるとともに、その回転位置を維持させることができればよいので、例えば、キャップ本体Ｂの回転段部１１に係合凹部、回転蓋Ｃの外筒２３の下端面に係止突部を配設してもよい。
また、回転段部１１上面の係合筒１４内方の所定の位置に係合部を配設し、それに係合する係合部を回転部Ｃの上壁２０下面に配設するようにし、その係合部を係止板と、該係合板を挟持する一対の係止突部としても、同様の作用効果を得ることができる。
キャップ本体Ｂの回転段部１１と回転蓋Ｃとの係止機構は、どのような構成でもよく、上記実施例の形態に限定されない。
【００３１】
上記実施形態では、容器本体Ａ内を三室に区切ったが、別に容器本体Ａ内を複数室区切り、それに合わせてキャップ本体Ｂの回転段部１１および回転蓋Ｃを形成するようにすれば、複数個の振り出し容器として使用することができる。
容器本体Ａ内の室の区切り、および、それに伴うキャップ本体Ｂの回転段部１１と回転蓋Ｃの数は、上記実施形態に限定されない。
【産業上の利用可能性】
【００３２】
本発明は、キャップ本体に装着したそれぞれの回転蓋を回転させることで、それぞれの内容物の出る量を調整することができ、また一つの容器で数種類の内容物を振り分けて使用することができ、ふりかけや香辛料などの粉状の食料品、醤油やソースなどの液体の食料品、その他の粉状物および液体物の振り出し容器として広く利用することができる。
【図面の簡単な説明】
【００３３】
【図１】本発明の振り出し容器の説明図で、（ａ）は外蓋開蓋時の一部断面上面図、（ｂ）は外蓋閉蓋時の一部断面立面図である。
【図２】容器本体の説明図で、（ａ）は上面図、（ｂ）は本体胴部と本体底部の分解時の一部断面立面図である。
【図３】キャップ本体と外蓋の説明図で、（ａ）は外蓋開蓋時の上面図、（ｂ）は外蓋閉蓋時の一部断面立面図である。
【図４】回転蓋の説明図で、（ａ）は上面図、（ｂ）は一部断面立面図、（ｃ）は下面図である。
【図５】回転蓋廻動時の開口の説明図で、（ａ）は全閉時、（ｂ）は半開時、（ｃ）は全開時である。
【図６】振り出し容器の別実施例の外蓋開蓋時の上面図である。
【図７】回転蓋の外開口およびキャップ本体の内開口の別実施例の回転蓋廻動時の開口の説明図で、（ａ）は全閉時、（ｂ）は半開時、（ｃ）は全開時である。
【図８】回転蓋の外開口およびキャップ本体の内開口の別実施例の回転蓋廻動時の開口の説明図で、（ａ）は全閉時、（ｂ）は半開時、（ｃ）は全開時である。
【符号の説明】
【００３４】
Ａ          容器本体
Ａ１        本体胴部
Ａ２        本体底部
ａ、ｂ、ｃ  室
Ｂ          キャップ本体
Ｃ          回転蓋
Ｄ          外蓋
Ｅ          ヒンジ
１          口筒部
２          胴部
３          仕切板
４          係合段部
５          底壁
６          係合壁
７          底蓋部
１０、３０  頂壁
１１        回転段部
１２        螺着筒
１３、１３ａ、１３ｂ    内開口
１４        係合筒
１５        係止突部
１６、２５  係合突部
２０        上壁
２１        内筒
２２        蓋壁
２３、３１  外筒
２４、２４ａ、２４ｂ    外開口
２６        係止凹部
３２        つまみ
３３        密閉筒
【図１】
0005122189.tif 000002
【図２】
0005122189.tif 000003
【図３】
0005122189.tif 000004
【図４】
0005122189.tif 000005
【図５】
0005122189.tif 000006
【図６】
0005122189.tif 000007
【図７】
0005122189.tif 000008
【図８】
0005122189.tif 000009